(57)【要約】  【課題】  架空電線の点検がしやすく、雪が積もり難い鳥害防止具を提供する。【解決手段】  この鳥害防止具１は、所定距離離して設置した支柱具１０，１０の間に回転具２０を回転可能に設けている。また、この回転具２０は、鳥害防止のため、複数の針部２２が櫛状に設置されている。この、鳥害防止具１を用いると、回転具２０に雪が積もっても、回転具２０が支柱具１０，１０に対して回転可能に取り付けられているので、少量の雪が積もるごとに回転し、大量の雪が積もることがない。そのため、この鳥害防止具１を用いると、従来の鳥害防止具のように、大量の積もった雪が不意に頭上から落ちてくることを防止することができる。また、架空電線９に取り付けるとき、所定間隔を空けて支柱具１０を取り付け、この支柱具１０の間に回転具２０を掛け渡すように設置されており、架空電線９が露出した状態になるので、架空電線９の点検が行い易い。【選択図】図１
2010088333.tif 000002
【特許請求の範囲】
【請求項１】
長尺状に形成された鳥害対象物に対して所定間隔を空けて固定される少なくとも２つの支柱部と、
前記各支柱部に掛け渡され、前記各支柱部に対して軸回転可能に固定された回転部と、
を備え、
前記回転部は、
鳥を忌避する形状に形成されていることを特徴とする鳥害防止具。
【請求項２】
請求項１に記載の鳥害防止具において、
前記回転部は、
当該回転部の回転軸周りに、前記回転軸に対し複数の針部を櫛状に立設した形状に形成したことを特徴とする鳥害防止具。
【請求項３】
請求項１に記載の鳥害防止具において、
前記回転部は、
当該回転部の回転軸に平行に配置された複数の各棒状部を、前記回転軸周りに回転可能な形状に形成したことを特徴とする鳥害防止具。
【発明の詳細な説明】
【技術分野】
【０００１】
本発明は、架空電線などの鳥害対象物に鳥が止まることを防止する鳥害防止具に関する。
【背景技術】
【０００２】
従来より、架空電線９などには、図６に示すように、円筒状に形成された本体部１０１に対して、円筒の中心軸周りに、この中心軸に対し複数の針部１０２を櫛状に立設した鳥害防止具１００が取り付けられていた。
【発明の開示】
【発明が解決しようとする課題】
【０００３】
しかし、この鳥害防止具１００は、円筒の中に架空電線を通す方法で、架空電線などに取り付けられていたので、架空電線９の点検の際にいちいち取り外す必要があり、点検の障害となっていた。
【０００４】
また、この鳥害防止具１００は、雪が降ると針が雪を積もりやすくするため、大量の雪が積もっては所定の重さになると回転して雪が落ちていた。そのため、雪上がりのときに、この鳥害防止具１００が設置された架空電線９では、不意に頭上から大きな雪の塊が落ちてくる可能性があった。
【０００５】
そこで本発明では、上述した問題点を解決し、架空電線の点検がしやすく、雪が積もり難い鳥害防止具を提供することを目的とする。
【課題を解決するための手段】
【０００６】
上述した問題を解決するためになされた発明である請求項１に記載の鳥害防止具は、長尺状に形成された鳥害対象物に対して所定間隔を空けて固定される少なくとも２つの支柱部と、前記各支柱部に掛け渡され、前記各支柱部に対して軸回転可能に固定された回転部と、を備え、前記回転部は、鳥を忌避する形状に形成されていることを特徴とする。
【０００７】
本発明の鳥害防止具のように、架空電線等の鳥害対象物に取り付けるとき、所定間隔を空けて支柱部を取り付け、この支柱部の間に回転部を掛け渡すようにすれば、架空電線等の鳥害対象物が露出した状態になるので、架空電線等の鳥害対象物の点検が行い易い。
【０００８】
また、本発明の鳥害防止具では、回転部に雪が積もっても、少量の雪が積もっただけで回転して雪が落ちるので、雪が積もり難い。そのため、この鳥害防止具を用いると、従来の鳥害防止具のように、大量の積もった雪が不意に頭上から落ちてくることを防止することができる。
【０００９】
尚、例えば、３つの支持部を所定間隔毎に架空電線に配置し、各指示部の間に、回転部を配置するようにしてもよい。
ところで、鳥害を忌避する形状としては、例えば、次のようにするとよい。
【００１０】
例えば、請求項２に記載したように、回転部を、当該回転部の回転軸周りに、回転軸に対し複数の針部を櫛状に立設した形状に形成してもよい。
また、請求項３に記載したように、回転部を、当該回転部の回転軸に対して平行に配置された複数の各棒状部が、この回転軸周りに回転可能な形状に形成してもよい。
【発明を実施するための最良の形態】
【００１１】
以下、本発明が適用された実施形態について図面を用いて説明する。
[第１実施形態]
図１は、第１本実施形態の鳥害防止具の斜視図である。
【００１２】
尚、この図１では、一方の支柱具１０については、他方の支柱具１０と同一構成なので、符号は省略している。
[  １．鳥害防止具１の構造  ]
本実施形態の鳥害防止具１は、図１に示すように、一対の支柱具１０，１０と、この支柱具１０，１０間に掛け渡され、これら各支柱具１０，１０に対して軸回転可能に固定された回転具２０とを備えている。
（支柱具１０）
支柱具１０は、平板状に形成された土台部１１と、この土台部１１の表裏両面のうち、一方の面の中央部分から土台部１１に対して垂直に立設された軸支柱部１２とを備えている。この軸支柱部１２は、土台部１１側を底辺とする略二等辺三角形状に形成されている。
【００１３】
また、土台部１１は、軸支柱部１２の底辺を延長した位置であって、軸支柱部１２の両側に、固定バンド１３を通す一対の孔部１１ａ，１１ａが設けられている。さらに、軸支柱部１２は、この軸支柱部１２の表裏をなす面を貫いて設けられた軸通孔１２ａが、三角形の底辺に対する頂点側に設けられている。
【００１４】
このように構成された支柱具１０は、隣接して平行に架線された２本の架空電線９の上に、軸支柱部１２が設けられていない側の土台部１１の他方の面を接触させて載置される。このとき支柱具１０は、軸支柱部１２の表裏をなす面が架空電線９の長手方向に対して垂直に配置されるように、架空電線９に対して載置される。また、各支柱具１０は、対をなす他の支柱具１０とは所定間隔離して架空電線９上に載置される。
【００１５】
そして、このように架空電線９上に載置された各支柱具１０，１０は、固定バンドを一方の孔部１１ａに通し、架空電線９に対し土台部１１が接触している側とは反対側を渡らせて、他方の孔部１１ａに通して結束することにより架空電線９に固定される。
（回転具２０）
回転具２０は、円筒状、円柱状又は棒状に形成された本体部２１と、本体部２１の回転軸周りに、この回転軸に対し櫛状に立設された複数の針部２２と、本体部２１の軸方向の両側に、本体部２１と同軸状に配置されたネジ軸部２３，２３とを備えている。
【００１６】
このうち、ネジ軸部２３，２３は、軸通孔１２ａを貫通可能な軸部２３ａと、この軸部２３ａの軸方向の一端側に形成された図示しないネジ溝部と、軸部２３ａよりも径方向に大きい平型状に形成されたツマミ部２３ｂとからなる。
【００１７】
このように構成された回転具２０は、本体部２１を支柱具１０，１０の間に配置し、支柱具１０，１０の両側から、各ネジ軸部２３の軸部２３ａを軸通孔１２ａに通し、本体部２１とネジ軸部２３，２３とが同軸状に配置されるようにネジ溝部を本体部２１に螺入させることにより、支柱具１０，１０に対して回転可能に取り付けられる。
[  ２．鳥害防止具１の作用効果  ]
このように構成された鳥害防止具１では、針部２２があって鳥が近づき難いこと、また、この針部２２が回転して鳥が驚くことによって、鳥が近づけないので、鳥害防止効果がある。
【００１８】
また、本実施形態の鳥害防止具１では、回転具２０に雪が積もっても、回転具２０が支柱具１０，１０に対して回転可能に取り付けられているので、少量の雪が積もるごとに回転し、大量の雪が積もることがない。そのため、この鳥害防止具１を用いると、従来の鳥害防止具のように、大量の積もった雪が不意に頭上から落ちてくることを防止することができる。
【００１９】
また、本実施形態の鳥害防止具１では、架空電線９に取り付けるとき、所定間隔を空けて支柱具１０を取り付け、この支柱具１０の間に回転具２０を掛け渡すように設置されており、架空電線９が露出した状態になるので、架空電線９の点検が行い易い。
【００２０】
[第２実施形態]
次に、第２実施形態について説明する。
尚、この図２では、一方の支柱具１０については、他方の支柱具１０と同一構成なので、符号は省略している。
【００２１】
また、以下の説明では、第１実施形態と異なる点のみ説明する。また、同一の構成については、同一符号をもって説明する。
図２は、第２実施形態の鳥害防止具の斜視図である。
[  １．鳥害防止具１の構造  ]
本実施形態の鳥害防止具１は、図２に示すように、一対の支柱具１０，１０と、この支柱具１０，１０間に掛け渡され、これら各支柱具１０，１０に対して軸回転可能に固定された回転具２０とを備えている。
【００２２】
この第２実施形態の鳥害防止具１は、回転具２０の構造のみが、第１実施形態と異なっているので、回転具２０についてのみ説明する。
（回転具２０）
回転具２０は、本体部２４と、ネジ軸部２３，２３とを備えている。
【００２３】
本体部２４は、回転具２０の回転軸αに平行に配置され、この回転軸αから線対称の位置に、回転軸αから等距離の位置に配置された２本の棒状部２４ａ，２４ａを備えている。
【００２４】
また、これら棒状部２４ａ，２４ａを支持する一対の支持棒部２４ｂ，２４ｂを備えている。棒状部２４ａ，２４ａは、支持棒部２４ｂ、２４ｂを線対象の位置に並べて置き、各支持棒部２４ｂ，２４ｂの端部間を結ぶように棒状部２４ａ，２４ａが固定される。
【００２５】
そして、ネジ軸部２３，２３は、この支持棒部２４ｂ、２４ｂの長手方向の中心位置に螺入されて固定される。
[  ２．鳥害防止具１の作用効果  ]
このように構成された鳥害防止具１では、棒状部２４ａ，２４ａが回転して鳥が驚くことによって、鳥が近づけないので、鳥害防止効果がある。
【００２６】
また、本実施形態の鳥害防止具１では、回転具２０に雪が積もっても、回転具２０が支柱具１０，１０に対して回転可能に取り付けられているので、少量の雪が積もるごとに回転し、大量の雪が積もることがない。そのため、この鳥害防止具１を用いると、従来の鳥害防止具のように、大量の積もった雪が不意に頭上から落ちてくることを防止することができる。
【００２７】
また、本実施形態の鳥害防止具１では、架空電線９に取り付けるとき、所定間隔を空けて支柱具１０を取り付け、この支柱具１０の間に回転具２０を掛け渡すように設置されており、架空電線９が露出した状態になるので、架空電線９の点検が行い易い。
[実施形態と発明特定事項との対応関係]
本実施形態の支柱具１０が、本発明の支柱部に相当する。
【００２８】
本実施形態の回転具２０が、本発明の回転部に相当する。
[その他の実施形態]
本実施形態では、支柱具１０として、平板状に形成された土台部１１と、この土台部１１の表裏両面のうち、一方の面の中央部分から土台部１１に対して垂直に立設された軸支柱部１２とを備えたものを用いたが、これに限るものではない。
【００２９】
例えば、図３に示すように、支柱具１０は、架空電線９に対し取り外し可能に構成されていてもよい。具体的には、上述した土台部１１に代えて、架空電線９と略同じ径の半円状に形成された嵌込部１４，１４を二つ並設した土台部１１を備えてもよい。
【００３０】
この支柱具１０は、平行に配置された架空電線９に対し、これら嵌込部１４，１３を架空電線９に対して嵌め込む事によって固定される。
一方、この支柱具１０は、架空電線９に対して支柱具１０を引くと、嵌込部１４，１３と架空電線９との嵌合が解け、簡単に取り外すこともできる。
【００３１】
また、第１実施形態では、回転具２０として、本体部２１よりも径が細いネジ軸部２３を用いていたが、図４（ａ）に示すように、回転具２０全体を、本体部２１と同じ径の円筒状、円柱状又は棒状としてもよい。その場合、図４（ｂ）に示すように、軸支柱部１２に形成された軸通孔１２ａを、挿通された回転具２０が回転可能な大きさに形成するとよい。また、回転具２０の長手方向の両端部に、針部２２を、針部２２の長手方向の根元側から挿嵌可能な針嵌込穴２１ａを形成し、この回転具２０を軸通孔１２ａに通した後、この針嵌込穴２１ａに針部２２を差し込んで抜け止めとしてもよい。
【００３２】
また、第１実施形態では、回転具２０として、本体部２１よりも径が細いネジ軸部２３を用いていたが、図５に示すように、このネジ軸部２３に代えて、本体部２１に対し、この本体部２１の両端に軸方向に沿って延設された、本体部２１よりも小径なネジ支柱部２６を設けてもよい。この場合、ネジ支柱部２６の各端部にはネジ溝２６ａを形成し、このネジ支柱部２６を軸通孔１２ａに通したら、ネジ溝２６に軸通孔１２ａよりも径の大きいキャップ部２７を螺合させて抜け止めとしてもよい。尚、図５では、ネジ支柱部２６をネジ軸部２３の軸部２３ａと同じ径のものについて説明した。
【００３３】
本発明は、特許請求の範囲に記載された発明の趣旨に合致するものであればよく、上述の実施形態に限定されるものではない。
【図面の簡単な説明】
【００３４】
【図１】第１本実施形態の鳥害防止具の斜視図である。
【図２】第２実施形態の鳥害防止具の斜視図である。
【図３】支柱具１０の変形例の正面図である。
【図４】支柱具１０及び回転具２０の変形例の斜視図である。
【図５】支柱具１０及び回転具２０の変形例の斜視図である。
【図６】従来の鳥害防止具の斜視図である。
【符号の説明】
【００３５】
１…鳥害防止具、９…架空電線、１０…支柱具、１１…土台部、１１ａ…孔部、１２…軸支柱部、１２ａ…軸通孔、１３…固定バンド、１４…嵌込部、２０…回転具、２１…本体部、２１ａ…針嵌込孔、２２…針部、２３…ネジ軸部、２３ａ…軸部、２３ｂ…ツマミ部、２４…本体部、２４ａ…棒状部、２４ｂ…支持棒部、２６…ネジ支柱部、２６ａ…ネジ溝、２７…キャップ部
【図１】
2010088333.tif 000003
【図２】
2010088333.tif 000004
【図３】
2010088333.tif 000005
【図４】
2010088333.tif 000006
【図５】
2010088333.tif 000007
【図６】
2010088333.tif 000008